(57)【要約】【課題】商品の載置面の位置変更が可能である商品陳列用具を提供すること。【解決手段】商品陳列用具（１０）は、互いに連結され相対する一対の脚（１２）と、脚の上に載置された天板であって脚に枢着された一端部（３０）を有する天板（１４）と、天板の他端部（３４）又は脚（１２）に枢着された、天板をその他端部において脚に支持するための支え部材（１６）とを備える。【選択図】図１
2005288034.tif 000002
【特許請求の範囲】
【請求項１】
互いに連結され相対する一対の脚と、該脚の上に載置された天板であって前記脚に枢着された一端部を有する天板と、該天板の他端部又は前記脚に枢着された、前記天板をその他端部において前記脚に支持するための支え部材とを含む、商品陳列用具。
【請求項２】
前記天板は前記支え部材を収容するための空間を有する、請求項１に記載の商品陳列用具。
【請求項３】
さらに、両脚はそれぞれ前記天板が枢着された第１の脚部と、該第１の脚部に対し上下方向へ継ぎ足し可能に取り付けられた第２の脚部とからなる、請求項１に記載の商品陳列用具。
【請求項４】
前記第１の脚部及び前記第２の脚部は、前記第１の脚部に対する前記第２の脚部の継ぎ足しのために互いに係合可能である複数段の凹部及び凸部を有する、請求項３に記載の商品陳列用具。
【請求項５】
前記天板及び両脚は、２つの商品陳列用具の一方が、前記第２の脚部の継ぎ足しにより高さ寸法が増大された他方の商品陳列用具の天板及び両脚が規定する空間に部分的に受け入れ可能であるように、先細に形成されている、請求項３又は４に記載の商品陳列用具。
【請求項６】
両脚は、それぞれ、２つの商品陳列用具を互いに連結するための係合部及び被係合部を有する、請求項１に記載の商品陳列用具。
【請求項７】
前記係合部及び前記被係合部は前記第２の脚部に設けられている、請求項３又は４に記載の商品陳列用具。
【発明の詳細な説明】
【技術分野】
【０００１】
本発明は、商品を載せてこれを陳列するための用具に関する。
【背景技術】
【０００２】
従来、スーパーマーケットのような店舗における生鮮食料品のような商品の陳列のため、商品陳列台上や冷蔵ショーケース内に配置される商品陳列用具が用いられている。商品陳列用具上への商品の載置により、商品の載置位置を高くし、あるいは変化させ、これにより商品をより見易くし、陳列商品の豊富さを印象付ける等することができる。
【０００３】
このような用途に供される商品陳列用具の例として、相対する一対の板状の脚で支持された、商品が載置される水平な天板を有するものや、傾斜した天板を有するもの（後記特許文献１参照）がある。
【０００４】
しかし、これらの商品陳列用具は、商品の載置位置を規定する天板と両脚とが固定関係にある。このため、商品の載置位置を変更することができず、高さ寸法や傾斜角度の異なる他の商品陳列用具を準備する必要がある。これには、また、異なる金型の準備等を要するため製造コストの増大を招く。
【０００５】
【特許文献１】特開２００３−１４４２８０号公報
【発明の開示】
【発明が解決しようとする課題】
【０００６】
本発明は、商品の載置面の位置変更が可能である商品陳列用具を提供することにある。
【課題を解決するための手段】
【０００７】
本発明は、商品陳列用具に係り、互いに連結され相対する一対の脚と、該脚の上に載置された天板であって前記脚に枢着された一端部を有する天板と、該天板の他端部又は前記脚に枢着された、前記天板をその他端部において前記脚に支持するための支え部材とを含む。
【０００８】
前記天板は前記支え部材を収容するための空間を有するものとすることができる。
【０００９】
両脚はそれぞれ前記天板が枢着された第１の脚部と、該第１の脚部に対し上下方向へ継ぎ足し可能に取り付けられた第２の脚部とからなるものとすることができる。好ましくは、前記第１の脚部及び前記第２の脚部は、前記第１の脚部に対する前記第２の脚部の継ぎ足しのために互いに係合可能である複数段の凹部及び凸部を有する。
【００１０】
また、好ましくは、両脚は、それぞれ、２つの商品陳列用具を互いに連結するための係合部及び被係合部を有する。これらの係合部及び被係合部は前記第２の脚部に設けることができる。
【００１１】
さらに、前記天板及び両脚は、２つの前記商品陳列用具の一方が、前記第２の脚部の継ぎ足しにより高さ寸法が増大された他方の商品陳列用具の天板及び両脚が規定する空間に部分的に受け入れ可能であるように、先細に形成されたものとすることができる。
【発明の効果】
【００１２】
本発明によれば、天板が両脚上に載置されかつその一端部で両脚に枢着されていることから、前記天板を枢動前の水平状態又は枢動後の傾斜状態におくことができ、これにより、商品の載置位置を変更することができる。前記天板の傾斜状態は、前記天板の他端部又は前記脚に枢着された支え部材により維持することができる。前記天板に前記支え部材を収容するための空間を設けることにより、非枢動状態において、前記支え部材を前記天板の内部に収容することができる。
【００１３】
前記脚を第１及び第２の脚部で構成し、かつ前記第２の脚部を前記第１の脚部に対して上下方向へ継ぎ足し可能とするときは、前記第２の脚部の継ぎ足しにより、前記天板の高さ位置をより高位に定めることができ、他の部材の使用による商品陳列用具の嵩上げ等を必要としない。第１の脚部に対する第２の脚部の継ぎ足しのため、両脚部に、互いに係合可能である複数段の凹部及び凸部を設けるときは、前記凹部への前記凸部の差込みにより、前記第１の脚部に対する前記第２の脚部の高さ位置、したがって前記天板の高さ位置を種々に変更することができる。
【００１４】
また、両脚にそれぞれ係合部及び被係合部を設けるときは、これらの係合部及び被係合部の相互係合により、互いに連結された２つの商品陳列用具の使用が可能である。これらの係合部及び被係合部を前記第２の脚部に設けるときは、前記第２の脚部の継ぎ足しによる高さの増大の有無に拘わらず、前記係合部及び被係合部は常に同じ高さに位置することから、両商品陳列用具の相互接続に支障を生じない。
【００１５】
さらに、前記天板とその両脚とを先細とすることにより、前記第２の脚部の継ぎ足しにより高さ寸法が増大された一の商品陳列用具の天板及びその両脚が規定する空間に他の商品陳列用具の先細の一部を差込んだ状態とすること、すなわち単一の形態の商品陳列用具による２つの入れ子式の商品陳列用具を準備することができる。
【発明を実施するための最良の形態】
【００１６】
図１及び図２を参照すると、本発明に係る商品陳列用具が全体に符号１０で示されている。
【００１７】
商品陳列用具１０は、スーパーマーケットのような店舗内の商品陳列台や冷蔵ショーケース内に配置され、互いに連結された一対の脚１２と、両脚１２上に載置された天板１４と、支え部材１６（図３）とを備える。
【００１８】
商品陳列用具１０は、スーパーマーケットのような店舗内の商品陳列台や冷蔵ショーケース内に配置され、脚１２に支持された天板１４上に生鮮食料品のような商品が載置され、陳列される。
【００１９】
天板１４を支持する脚１２は、図示の例では、クランク形に折れ曲がった板状体からなり、前記クランク形の平面形状を有する。両脚１２は互いに間隔をおいて平行に配置され、これらの一端部において連なる板状の連結部材１８を介して互いに連結されている。また、両脚１２は連結部材１８に対して直交している。
【００２０】
図示の天板１４は全体に矩形の平面形状を有する。好ましくは、天板１４はその表裏面に開口する互いに平行な複数のスリット２０を有する。スリット２０は、仕切り板（図示せず）のための差込み孔として、また商品陳列用具１０が前記冷蔵ショーケース内に配置される場合における冷気の通し孔として機能する。
【００２１】
天板１４は、後記する目的のため、その先端部２４がその基部２２と比べて先細、すなわち細幅に形成されている。基部２２及び先端部２４の縁はクランク形を呈し、この形状は脚１２の折れ曲がり形状であるクランク形と一致している。
【００２２】
天板１４はその周囲を取り巻く周囲壁２６を有し、また両脚１２の基部２２の側にある一端部２８に枢着された一端部３０を有する。より詳細には、天板１４の一端部３０にその周囲壁２６を貫通する一対の軸穴３２が設けられている。他方、両脚１２の一端部２８にブラケット３４が取り付けられており、該ブラケットの両端からそれぞれ一対の軸３６が伸びている。これらの軸３６がそれぞれ両軸穴３２に通されている。これにより、天板１４を両軸３６の周りに枢動させることができる。その結果、天板１４の姿勢を、これが脚１２に載置された水平状態から、天板の他端部３４が脚１２の上方に位置する傾斜状態へと変化させることができる。これにより、天板１４が規定する商品陳列面の角度を変更することができる。
【００２３】
天板１４の前記傾斜状態は、支え部材１６により維持することができる。
【００２４】
図３及び図４に示すように、支え部材１６は、天板の他端部３４側においてその裏面に配置され、天板の周囲壁２６が規定する空間３７内に収容可能である。
【００２５】
図示の支え部材１６は、天板１４の幅方向へ伸びる板状の本体３８と、該本体の両端部から伸びかつ互いに相対する２対の突起４０，４２とを有する。支え部材１６は、その一対の突起４０を介して、天板１４の裏面に設けられその一端部３０の側からその他端部３４の側へ伸びる一対の平行なリブ４４に枢着されている。
【００２６】
支え部材１６は、天板の空間３７内に収容され天板１４と平行な状態（図４に示す状態）と、天板１４に直交する状態（図３）との間で枢動可能である。
【００２７】
天板１４と平行な状態にある支え部材１６は、その他の一対の突起４２が、両リブ４４に設けられた鉤形部４５に受け入れられこれらと摩擦係合しており、これにより、前記平行状態を維持される。また、この状態において、支え部材の本体に設けられた長穴４６に、天板１４の幅方向へ伸びる他の複数のリブ４８の１つが嵌合している。
【００２８】
また、天板１４と直交する状態にある支え部材１６は、天板１４に設けられた一対の壁部４９に寄り掛かり、これにより、前記直交状態を維持される。前記直交状態にある支え部材１６は、その本体３８と両突起４２との間に形成された２つの肩部５０において、両脚１２（より詳細には後記第１の脚部５２）に当接する。これにより、枢動後の天板１４がその他端部３４において脚１２に支持され、その傾斜状態を維持される（図５参照）。なお、天板１４の傾斜角度は、支え部材１６の長さ寸法、すなわちその板状の本体３８の幅寸法の設定を変更することにより任意に変更することができる。また、支え部材１６は、図示の例に代えて、両脚１２の連結部材１８により支持されるように変更することができる。
【００２９】
支え部材１６は、これを天板１４に枢着する図示の例に代えて、両脚１２に枢着することができる。これによれば、両脚１２に対して支え部材を枢動させ、該支え部材の先端部を天板１４に当接させることにより、天板１４を傾斜状態に支持することができる。
【００３０】
図２を参照すると、脚１２は、第１の脚部５２及び第２の脚部５４からなるものとすることができる。第１及び第２の両脚部５２，５４はそれぞれ板状体からなり、互いに２枚重ねに重ね合わされている。第１の脚部５２は連結部材１８に連なり該連結部材と一体をなす。また、第２の脚部５４は、第１の脚部５２を覆うようにこれに取り付けられている。
【００３１】
第１の脚部５２及び第２の脚部５４には、それぞれ、互いに係合可能である凹部５６及び凸部５８が複数段に渡って設けられている。
【００３２】
図示の例では、５つの凹部５６が第１の脚部５２の各端部に上下方向に配置され、また２つの凸部５８が第２の脚部５４の各端部に上下方向に配置されている。５つの凹部５６及び２つの凸部５８は、それぞれ、２列に配置されている。すなわち、３つの凹部５６と２つの凹部５６とが２列に配置され、１列目の３つの凹部５６間の高さ位置に２列目の２つの凹部５６が位置する。他方、１つの凸部５８と他の１つの凸部５８とが２列に配置され、１列目の１つの凸部５８の下方位置に２列目の１つの凸部５８が位置する。
【００３３】
第２の脚部５４の各端部における２つの凸部５８を１組として、これらを第１の脚部５２の各端部における１組の凹部５６、すなわち１列目及び２列目における上下２つの凹部５６に差し込んで第１の脚部５２に係合させることにより、第２の脚部５４を第１の脚部５２に取り付けることができる。
【００３４】
５つの凹部５６は、上下２段の２組の凹部５６と最下段の１つの凹部５６として構成される。このため、これらの２組の凹部５６のうちの１組を１組の凸部５８の差込み先として選択し、又は最下段の１つの凹部５６を上段の１つの凸部５８の差込み先として選択することにより、第１の脚部５２に対し、第２の脚部５４を異なる高さ位置で、継ぎ足すことができる。第２の脚部５４の継ぎ足しにより、格別な部材を準備することなしに、脚１２の高さ寸法を実質的に増大することができ、これにより、天板１４が規定する商品載置面の高さ位置を種々に変更することができる。
【００３５】
図示の例では、凹部５６が矩形状の孔からなる。他方、凸部５８は鉤形を呈し、凹部５６への挿入及びその後の第１の脚部２４の裏面への係止が可能である。なお、図示の例とは逆に、第１の脚部５２に凸部５８を、また第２の脚部５４に凹部５６を設けてもよい。
【００３６】
次に、図６に示すように、第１の脚部５２への第２の脚部５４の継ぎ足しにより、両脚１２の高さが増大され、より高位に置かれた天板１４を有する商品陳列用具１０の前記両脚及び前記天板が規定する空間に、高さの増大がされていない、商品陳列用具１０と同一の他の商品陳列用具６０の一部が受け入れられている。すなわち、両商品陳列用具１０，６０が入れ子式に組み合わされている。これによれば、同じ商品陳列用具を使って、段差のあるまた実質的に面積の異なる両天板１４によるいわゆるひな壇からなる商品陳列面を形成することができる。
【００３７】
このような入れ子式の組み合わせのため、両脚１２の一端部２８間の間隔及び天板１４の一端部３４がそれぞれ先細に、すなわち細幅に設定されている。したがって、また、両脚の他端部６２間の間隔が広幅に設定され、この幅寸法は、天板の一端部３４の幅寸法よりわずかに大きい。
【００３８】
図７に示すように、並列に配置される２つの商品陳列用具１０，６０を互いに連結するため、各商品陳列用具の両脚１２、好ましくはこれらの第２の脚部５４にそれぞれ係合部６４及び被係合部６６を設けることができる。図示の係合部６４及び被係合部６６は、それぞれ、鉤形を呈している。
【００３９】
これによれば、一方の商品陳列用具１０の係合部６４を他方の商品陳列用具６０の被係合部６６を係合させることにより、両商品陳列用具１０，６０を相互に連結し、２つの天板１４が規定するより広い面積の商品陳列面を得ることができる。
【００４０】
両商品陳列用具の連結は、天板１４を傾斜させた状態、及び高さ位置を変更した状態のいずれにおいても、可能である。
【図面の簡単な説明】
【００４１】
【図１】商品陳列用具の斜視図である。
【図２】商品陳列用具の分解斜視図である。
【図３】支え部材が立てられた状態における天板をその裏面からみた斜視図である。
【図４】支え部材が収納された状態における天板をその裏面からみた斜視図である。
【図５】脚の高さが増大され、また天板が傾けられた状態における商品陳列用具の斜視図である。
【図６】入れ子式に組み合わされた２つの商品陳列用具の斜視図である。
【図７】互いに並列されかつ連結される２つの商品陳列用具の斜視図である。
【符号の説明】
【００４２】
１０，６０  商品陳列用具
１２  脚
１４  天板
１６  支え部材
３７  支え部材の収容空間
５２，５４  第１の脚部材及び第２の支え部材
６４，６６  係合部及び被係合部
【図１】
2005288034.tif 000003
【図２】
2005288034.tif 000004
【図３】
2005288034.tif 000005
【図４】
2005288034.tif 000006
【図５】
2005288034.tif 000007
【図６】
2005288034.tif 000008
【図７】
2005288034.tif 000009